(57)【要約】      （修正有）【課題】定形外郵便物として郵送しうる筒状収納体を提供する。【解決手段】一枚の紙を切り起こして解除可能に組み立てられ、内部に被搬送物を収納する空隙を有する筒状収納体１０であって、全体細長三角柱状に形成され、長さ方向側面部１１と、上記長さ方向側面部の長さ方向両端部に設けられた一対の幅方向側面部１２とを有し、定形外郵便物としての大きさの範囲内に形成する。【選択図】図１
0003153322.tif 000002
【実用新案登録請求の範囲】
【請求項１】
一枚の紙を切り起こして解除可能に組み立てられ、内部に被収納物を収納する空隙を有する筒状収納体であって、全体細長三角柱状に形成され、長さ方向側面部と、上記長さ方向側面部の長さ方向両端部に設けられた一対の幅方向側面部とを有し、定形外郵便物としての大きさの範囲内に形成されたことを特徴とする筒状収納体。
【請求項２】
上記長さ方向側面部は全体長方形状の側面部形成用紙により形成され、上記側面部形成用紙は、長さ方向に沿って均等幅に三分割された三つの長さ方向側面部形成部と、幅方向における一端部に連続して形成された固定代部と、上記幅方向における他端部に連続して形成された固定片部とを有し、
上記固定代部には、上記固定片部が挿入されて係合する係合孔部が形成され、
上記三つの長さ方向側面部形成部の内の一の長さ方向側面部形成部の長さ方向両端部には、幅方向側面部形成部が連続して形成されていることを特徴とする請求項１記載の筒状収納体。
【請求項３】
上記係合孔部はスリット状に形成されると共に上記固定片部は、上記係合孔部の長さ寸法と略同一の長さ寸法に形成された基部と、上記基部の長さ方向の両端部に形成された折曲係合片とを備え、使用時には、上記折曲係合片を折畳んだ状態で上記固定片部を上記係合孔部に挿入し、上記折曲係合片を用紙の剛性により復元させることにより係合孔部に係止させるように構成されていることを特徴とする請求項２記載の筒状収納体。
【請求項４】
上記一対の幅方向側面部は開放可能に形成され、上記固定片部は、使用者が、上記幅方向側面部を開放し、長さ方向端部から手を挿入して上記固定片部を構成する上記折曲係合片の上記係合孔部との係合を解除しうるように構成されていることを特徴とする請求項２及び３記載の筒状収納体。
【請求項５】
上記固定片部は長さ方向の両端部に夫々形成されると共に、長さ方向中央部には係止片部が形成されていることを特徴とする請求項４記載の筒状収納体。
【請求項６】
幅方向に６つ連続して配置した場合であっても、定形外郵便物としての規格の範囲内にある大きさに形成されていることを特徴とする請求項５記載の筒状収納体。  
【考案の詳細な説明】
【技術分野】
【０００１】
本考案は、筒状収納体に係り、特に、郵便物として郵送可能な筒状収納体に関する。
【背景技術】
【０００２】
ポスターやカレンダーを送付する場合には、所定の厚紙により形成した薄型の箱に収納して宅配便により送付するのが一般的である。
しかしながら、物流費用の低減の観点から、郵便物として送付したい、という要請がある。この場合、従来より「紙管」と称する円筒状の収納体も使用されているが、軸方向両端部を折畳んで使用することから、定形外郵便物の規格外になってしまう、という不具合があった。
【０００３】
また、従来より、１枚の紙から切り起こされて組み立てられる三角柱状の収納体は提案されていたが、いずれも郵便物として郵送されるようには構成されていなかった。
【特許文献１】特開２００７−５５６６５号
【考案の開示】
【考案が解決しようとする課題】
【０００４】
そこで、本考案の課題は、定形外郵便物として郵送しうる筒状収納体を提供することにある。
【課題を解決するための手段】
【０００５】
上記課題を解決するために、請求項１の考案にあっては、一枚の紙を切り起こして解除可能に組み立てられ、内部に被搬送物を収納する空隙を有する筒状収納体であって、全体細長三角柱状に形成され、長さ方向側面部と、上記長さ方向側面部の長さ方向両端部に設けられた一対の幅方向側面部とを有し、定形外郵便物としての大きさの範囲内に形成されたことを特徴とする。
【０００６】
従って、請求項１記載の考案に係る筒状収納体は郵便法における定形外郵便物としての取り扱いを受けることができる。また、一度、使用された後に、組み立てを解除して一枚の紙に戻すことができる。
【０００７】
請求項２記載の考案にあっては、上記長さ方向側面部は全体長方形状の側面部形成用紙により形成され、上記側面部形成用紙は、長さ方向に沿って均等幅に三分割された三つの長さ方向側面部形成部と、幅方向における一端部に連続して形成された固定代部と、上記幅方向における他端部に連続して形成された固定片部とを有し、上記固定代部には、上記固定片部が挿入されて係合する係合孔部が形成され、上記三つの長さ方向側面部形成部の内の一の長さ方向側面部形成部の長さ方向両端部には、幅方向側面部形成部が連続して形成されていることを特徴とする。
【０００８】
請求項３記載の考案にあっては、上記係合孔部はスリット状に形成されると共に上記固定片部は、上記係合孔部の長さ寸法と略同一の長さ寸法に形成された基部と、上記基部の長さ方向の両端部に形成された折曲係合片とを備え、使用時には、上記折曲係合片を折畳んだ状態で上記固定片部を上記係合孔部に挿入し、上記折曲係合片を用紙の剛性により復元させることにより係合孔部に係止させるように構成されていることを特徴とする。
従って、請求項３記載の考案にあっては、上記固定片部は確実に係合孔部に係止する。
【０００９】
請求項４記載の考案にあっては、上記一対の幅方向側面部は開放可能に形成され、上記固定片部は、使用者が、上記幅方向側面部を開放し、長さ方向端部から手を挿入して上記固定片部を構成する上記折曲係合片の上記係合孔部との係合を解除しうるように形成されていることを特徴とする。
【００１０】
従って、請求項４記載の考案にあっては、使用者が幅方向側面部を開放して、上記固定片部を解除して再使用することが可能となる。
請求項５記載の考案にあっては、上記固定片部は長さ方向の両端部に夫々形成されると共に、長さ方向中央部には係止片部が形成されていることを特徴とする。
【００１１】
請求項６記載の考案にあっては、幅方向に３つ連続して配置した場合であっても、定形外郵便物としての規格の範囲内にある大きさに形成されていることを特徴とする。  
従って、一度に複数個の筒状収納体を適宜の固定手段により固定した状態で
郵便物として郵送することができる。
【考案の効果】
【００１２】
請求項１及び２記載の考案に係る筒状収納体は郵便法における定形外郵便物としての取り扱いを受けることができることから、被収納物を収納した状態で郵便物として郵送することができる。
【００１３】
また、全体細長三角柱状に形成されていることから、外部から幅方向における圧迫等が作用した場合であっても、充分な強度を有し、郵送される場合に充分な使用に耐えられる。
さらに、一度、使用された後に、組み立てを解除して一枚の紙に戻すことができることから、本考案に係る筒状収納体を受領した者は、被収納物を取り出した後に、組み立てを解除して、一枚の紙の状態で保管し、再度組み立てて使用することができるため、省資源に寄与することができる。
【００１４】
請求項３記載の考案にあっては、筒状収納体を容易に組み立てることができると共に、長さ方向側面部を確実に固定することができる。  
【００１５】
請求項４記載の考案にあっては、使用者が幅方向側面部を開放して、上記固定片部を解除することが可能となる。その結果、例えば、本考案に係る筒状収納体を郵送により受け取った者が、被収納物を内部から抜き取った後に、上記幅方向側面部から手を挿しいれ、上記固定片部の係合孔部との係合を解除し、再度、使用することができる。
【００１６】
請求項５記載の考案にあっては、長さ方向側面部は、長さ方向に沿って３箇所で係合固定されることから、確実に固定される。
請求項６記載の考案にあっては、一度に複数個の筒状収納体を適宜の固定手段により固定した状態で郵便物として郵送することができることから、低額な郵便料金で所定量の被収納物を郵送することができ、搬総料金を節減することができる。
【図面の簡単な説明】
【００１７】
【図１】本考案に係る筒状収納体の一実施の形態を示す斜視図である。
【図２】本考案に係る筒状収納体を形成する側面部形成用紙１３の一実施の形態を示す平面図である。
【考案を実施するための最良の形態】
【００１８】
以下、添付図面に示す実施の形態に基づき、本考案を詳細に説明する。
図１に示すように、本実施の形態に係る筒状収納体１０は、一枚の紙を切り起こして解除可能に組み立てられ、内部に被収納物を収納する空隙を有する筒状収納体であって、全体細長三角柱状に形成され、長さ方向側面部１１，１１，１１と、上記長さ方向側面部１１，１１，１１の長さ方向両端部に設けられた一対の幅方向側面部１２，１２とを有し、定形外郵便物としての大きさの範囲内に形成されている。
【００１９】
即ち、本実施の形態にあっては、長さ寸法は６０cm、幅寸法は７cm、高さ寸法６．４cmに形成され、郵便法に基づく定形外郵便物の大きさ寸法９０cmの規制値をクリアしている。さらに、本実施の形態に係る筒状収納体１０にあっては、幅方向に沿って筒状収納体１０を幅方向において上下逆方向に３個連続して配置した場合であっても、長さ寸法、幅寸法及び高さ寸法の合計値は８７．４cmであり、「長さ寸法、幅寸法、高さ寸法の合計値が９０cm以内であること」という定形外郵便物の許容最大値を充たしている。
【００２０】
図２に示すように、上記長さ方向側面部１１は全体長方形状の側面部形成用紙１３により形成され、上記側面部形成用紙１３は、長さ方向に沿って均等幅に三分割された三つの長さ方向側面部形成部１４，１４，１４と、幅方向における一端部に連続して形成された固定代部１５と、上記幅方向における他端部に連続して形成された固定片部１７，１８，１９とを有している。
【００２１】
上記固定代部１５には、上記固定片部１７，１８，１９が挿入されて係合する係合孔部２０，２１，２２が形成されている。
上記三つの長さ方向側面部形成部の内、反固定代部１５側の幅方向端部側の長さ方向側面部形成部１４ａの長さ方向両端部には、夫々、幅方向側面部形成部２３，２３が連続して形成されている。
【００２２】
上記係合孔部２０，２１，２２はスリット状に形成されると共に、長さ方向両端部に形成された固定片部１７，１９は、長さ方向の両端部に開設された係合孔部２０，２２の長さ寸法と略同一の長さ寸法に形成された長方形状の基部２４と、上記基部２４の長さ方向の両端部に形成された折曲係合片２５，２５とを備えている。
【００２３】
本実施の形態にあっては、方向両端部に形成された固定片部１７，１９は、長さ方向の両端部に開設された係合孔部２０，２２の長さ寸法と略同一の長さ寸法に形成された長方形状の基部２４と、上記基部２４の長さ方向の両端部に形成された折曲係合片２５，２５とを備えている。
【００２４】
また、上記固定片部１７，１９は、本実施の形態にあっては、上記長さ方向側面部形成部１４の長さ方向端部２６，２６から５cm内方の部位に形成されており、使用者が、上記幅方向側面部１２，１２を開放し、長さ方向端部２６，２６から手を挿入して上記固定片部１７，１９を構成する上記折曲係合片２５，２５の上記係合孔部２０，２２との係合を解除しうるように構成されている。
【００２５】
また、本実施の形態にあっては、長さ方向側面部形成部１４の長さ方向中央部には、係合孔部２１に係止しうる固定片部１８が形成されており、本実施の形態にあっては、長さ方向両側部は、先端部に向かって細幅となるような湾曲したテーパ状に形成され、最大長さ寸法は上記係合孔部２１の幅寸法よりも僅かに大きく形成されている。また、基端部には切込み部２７，２７が形成され、係合孔部２１に圧入された場合には、上記切込み部２７，２７が係合孔部２１の両端部に係止するように構成されている。
【００２６】
上記幅方向側面部形成部２３，２３は、正三角形状の側面本体部２９と、側面本体部２９の斜辺部に形成された折代部３０，３０とからなり、組み立てられた場合には、上記一対の幅方向側面部１２，１２は開放可能に形成されてい
る。
【００２７】
以下、本実施の形態に係る筒状収納体１０の作用について説明する。
本実施の形態に係る筒状収納体１０を使用する場合には、上記側面部形成用紙１３に設けられている折筋１６に沿って長さ方向に３つ折りにして、長さ方向側面部１１を形成する。
【００２８】
この場合、上記固定片部１７，１９を、折曲係合片２５，２５を折畳んだ状態で、固定代部１５に開設された係合孔部２０，２２に挿入し、挿入後、固定代部１５の裏面側において折曲係合片２５，２５の折畳みを開放して、折曲係合片２５、２５を復元させた状態で係合させる。また、同時に、中央に形成ささた固定片部１８を係合孔部２１に圧入して係止させる。
この状態で、長さ方向側面部１１，１１，１１により三角柱状の収納体が形成されることから、内部にカレンダー、ポスター、大型の広告書面等の、搬送する被収納物を丸めて収納する。
【００２９】
その後、図１に示すように、双方の幅方向側面部形成部２３を折筋２８に沿って折り起てた状態で、長さ方向側面部１１の長さ方向における両端部に上記折代部３０，３０を折って被せ、適宜、接着テープ３２により折代部３０，３０を長さ方向側面部１１の両端部に固定することにより、開口部を閉止し、この状態で定形外郵便物として郵送することにより送付することができる。
【００３０】
本実施の形態に係る筒状収納体１０にあっては、全体細長三角柱状に形成されていることから、外部から幅方向における圧迫等が作用した場合であっても、充分な強度を有し、郵送される場合に充分な使用に耐えられる。
【００３１】
さらに、一度、使用された後に、組み立てを解除して一枚の側面部形成用紙１３に戻すことができることから、本実施の形態に係る筒状収納体１０を受領した者は、被収納物を取り出した後に、組み立てを解除して、上記側面部形成用紙１３の状態で保管し、再度組み立てて繰り返し使用することができるため、省資源に寄与することができる。
【００３２】
また、本実施の形態に係る筒状収納体１０にあっては、長さ寸法は６０cm、幅寸法は７cm、高さ寸法６．４cmに形成されていることから、幅方向に３つ連続して配置した場合であっても、定形外郵便物としての規格の範囲内にある大きさに形成されている。従って、一度に６個の筒状収納体１０を、ガムテープ等の適宜の固定手段により固定した状態で郵便物として郵送することができるため、郵送料を節約することができる。
さらに、長さ方向両端部に形成された固定片部１７，１９は、長さ方向の両端部に開設された係合孔部２０，２２の長さ寸法と略同一の長さ寸法に形成された長方形状の基部２４と、上記基部２４の長さ方向の両端部に形成された折曲係合片２５，２５を備えており、上記係合片２５，２５が内部において係合孔部２０，２２の内方周縁部に係合していることから、一度、組み立てられた場合には、外部から上記係合片部１７，１９を解除することは不可能であり、搬送途中での改ざんを有効に防止することができる。
【００３３】
なお、筒状収納体１０の具体的構成に関しては、上記実施の形態に限定されない。
【産業上の利用可能性】
【００３４】
本考案は、定形外郵便物として送付しうる筒状収納体に広く適用することができる。
【符号の説明】
【００３５】
１０  筒状収納体
１１  長さ方向側面部
１２  幅方向側面部
１３  側面部形成用紙
１４  長さ方向側面部形成部
１５  固定代部
１６  折筋
１７  固定片部
１８  固定片部
１９  固定片部
２０  係合孔部
２１  係合孔部
２２  係合孔部
２３  幅方向側面部形成部
２４  基部
２５  折曲係合片
２６  長さ方向端部
２７  切込み部
２８  折筋  
２９  側面本体部
３０  折代部
３１  折筋
３２  接着テープ
【図１】
0003153322.tif 000003
【図２】
0003153322.tif 000004
【手続補正書】
【提出日】平成21年6月26日(2009.6.26)
【手続補正１】
【補正対象書類名】実用新案登録請求の範囲
【補正対象項目名】全文
【補正方法】変更
【補正の内容】
【実用新案登録請求の範囲】
【請求項１】
一枚の紙を切り起こして解除可能に組み立てられ、内部に被収納物を収納する空隙を有する筒状収納体であって、全体細長三角柱状に形成され、長さ方向側面部と、上記長さ方向側面部の長さ方向両端部に設けられた一対の幅方向側面部とを有し、定形外郵便物としての大きさの範囲内に形成されたことを特徴とする筒状収納体。
【請求項２】
上記長さ方向側面部は全体長方形状の側面部形成用紙により形成され、上記側面部形成用紙は、長さ方向に沿って均等幅に三分割された三つの長さ方向側面部形成部と、幅方向における一端部に連続して形成された固定代部と、上記幅方向における他端部に連続して形成された固定片部とを有し、
上記固定代部には、上記固定片部が挿入されて係合する係合孔部が形成され、
上記三つの長さ方向側面部形成部の内の一の長さ方向側面部形成部の長さ方向両端部には、幅方向側面部形成部が連続して形成されていることを特徴とする請求項１記載の筒状収納体。
【請求項３】
上記係合孔部はスリット状に形成されると共に上記固定片部は、上記係合孔部の長さ寸法と略同一の長さ寸法に形成された基部と、上記基部の長さ方向の両端部に形成された折曲係合片とを備え、使用時には、上記折曲係合片を折畳んだ状態で上記固定片部を上記係合孔部に挿入し、上記折曲係合片を用紙の剛性により復元させることにより係合孔部に係止させるように構成されていることを特徴とする請求項２記載の筒状収納体。
【請求項４】
上記一対の幅方向側面部は開放可能に形成され、上記固定片部は、使用者が、上記幅方向側面部を開放し、長さ方向端部から手を挿入して上記固定片部を構成する上記折曲係合片の上記係合孔部との係合を解除しうるように構成されていることを特徴とする請求項２または３記載の筒状収納体。
【請求項５】
上記固定片部は長さ方向の両端部に夫々形成されると共に、長さ方向中央部には係止片部が形成されていることを特徴とする請求項４記載の筒状収納体。
【請求項６】
幅方向に６つ連続して配置した場合であっても、定形外郵便物としての規格の範囲内にある大きさに形成されていることを特徴とする請求項５記載の筒状収納体。